(57)【要約】【課題】  患者の疼痛の要因が属する異常箇所を知ると共に、異常箇所に対する施術領域を知り、患者の疼痛を根本から除去する。【解決手段】  手の平を正面に向けた状態の人体図において、左右の両腕、及び、左右の両脚を、左右の両足首関節の経穴の補瀉に相当する領域で、且つ、疼痛の要因の属する異常箇所判定領域イ〜ニとして表示する共に、左右の両腕を、肘を中心として上下、及び、内外に区分すると共に、左右の両脚を、膝を中心として上下、及び、内外に区分し、両腕及び両脚の区分した各領域を、左右の両耳の鼓膜温度差によって施術領域Ａ〜Ｑとして特定して表示し、さらに、腹部を、へそを通る二本の直交する座標軸によって四つの領域に区分し、且つ、区分した各領域を、経絡の補瀉に相当する補足施術判定領域Ｗ〜Ｚとして表示する。【選択図】    図７
2005168944.tif 000002
【特許請求の範囲】
【請求項１】
経絡理論に則して作成された人体図において、手の平を正面に向けた状態で、左右の両腕、及び、左右の両脚が、左右の両足首関節の経穴の補瀉に相当する領域で、且つ、疼痛の要因の属する異常箇所判定領域として表示されてなることを特徴とする経絡理論に則して作成された人体図。
【請求項２】
経絡理論に則して作成された人体図において、手の平を正面に向けた状態の左右の両腕が、肘を中心として上下、及び、内外に区分されると共に、左右の両脚が、膝を中心として上下、及び、内外に区分され、さらに、両腕及び両脚の区分された各領域が、左右の両耳の鼓膜温度差によって施術領域として特定されたことが表示されてなることを特徴とする経絡理論に則して作成された人体図。
【請求項３】
腹部が、へそを通る二本の直交する座標軸によって四つの領域に区分され、且つ、区分された各領域が経絡の補瀉に相当する補足施術判定領域として表示されてなることを特徴とする請求項２に記載の経絡理論に則して作成された人体図。
【請求項４】
通電性を有する素材からなるベルト、又は、貼着テープであることを特徴とする経絡理論に則して作成された施術部材。
【請求項５】
貼着テープは、７つの屈曲部を有する蛇行した紐状体であることを特徴とする請求項４に記載の経絡理論に則して作成された施術部材。
【発明の詳細な説明】
【技術分野】
【０００１】
本発明は、患者の疼痛を除去するのに有効な経絡理論に則して作成された人体図、及び、施術部材に関する。
【背景技術】
【０００２】
一般に、経絡理論は東洋医学で立証されており、経穴を針や磁気などを用いて刺激することによって疼痛を除去することは知られている。
【０００３】
また、背景技術としては、経絡の補瀉に相当する色によって区分された人体図、及び、経絡の補瀉に相当する色に合わせて作成された施術部材が公知になっている（例えば、特許文献１参照）。
【０００４】
【特許文献１】特許第２７５００８８号公報（第１―１３頁、図１〜図１５）
【発明の開示】
【発明が解決しようとする課題】
【０００５】
しかしながら、例えば、患者が肩の筋肉の痛みで来院しても、肩の筋肉の痛みの原因が筋肉そのものの異常である場合もあれば、自律神経、ホルモン、炎症のいずれかの異常によるものであったりするため、患者自身のいう異常箇所（この場合肩の筋肉）に施術することが必ずしも適切な治療ではないといえる。
【０００６】
さらに、患者の異常箇所に対して施術を行う経穴が人体のどの部位に存するのか不明であるのが現状である。
【０００７】
そこで、本発明は上記問題点に鑑み、筋肉、骨、関節などの患者の疼痛が、人体のどの部位によってもたらされているのかを容易に探し出せると共に、疼痛の要因を取除ける経穴（反応点）が容易に探し出せる、経絡理論に則して作成された人体図及び施術部材を提供することを目的とする。
【課題を解決するための手段】
【０００８】
上記課題を解決するために、本発明の経絡理論に則して作成された人体図は、請求項１に示す如く、手の平を正面に向けた状態で、しかも、左右の両腕、及び、左右の両脚を、左右の両足首関節の経穴の補瀉に相当する領域で、且つ、疼痛の要因の属する異常箇所判定領域として表示したものである。
【０００９】
したがって、疼痛を引き起こしている人体の部位、即ち異常箇所判定領域を容易に知ることができる。
【００１０】
また、請求項２に示す如く、左右の両腕を、肘を中心として上下、及び、内外に区分すると共に、左右の両脚を、膝を中心として上下、及び、内外に区分し、さらに、両腕及び両脚の区分された各領域を、左右の両耳の鼓膜温度差によって施術領域として特定したことを表示したものである。
【００１１】
よって、疼痛を引き起こしている要因の属する部位（異常箇所判定領域）に対して、疼痛の除去できる部位、即ち施術領域を知ることができれば、患者の生体リズムのバランスが改善され、患者の指摘する疼痛部位を直接施術しても除去できない疼痛が根本から除去される。
【００１２】
施術領域の特定に際しては、ホルモン分泌量の変動、自律系機能の変動などの生体リズムに重要な指標となる左右の両耳の鼓膜温度差を計測することが必須になる。
【００１３】
さらに、請求項３に示す如く、腹部を、へそを通る二本の直交する座標軸によって、四つの領域に区分し、且つ、区分された各領域を経絡の補瀉に相当する補足施術判定領域として表示したものである。
【００１４】
この場合、補足施術判定領域を知ることで、患者の疼痛の症状に合わせて、施術領域の施術量を補足することができるようになる。
【００１５】
また、請求項４に示す如く、本発明の経絡理論に則して作成された施術部材としては、通電性を有する素材からなるベルト、又は、貼着テープを使用するものである。
【００１６】
通電性素材によって施術すべき経穴が刺激されて、生体リズムのバランスが改善される。
【００１７】
さらに、請求項５に示す如く、施術部材として、７つの屈曲部を有する蛇行した紐状体のテープを使用するのが好ましい。
【００１８】
この場合、蛇行している形状と、蛇行によって形成される屈曲部との相乗効果によって、主施術経穴及び補助施術経穴がより一層効果的に刺激される。
【発明の効果】
【００１９】
以上説明したように、本発明の本発明の経絡理論に則して作成された人体図は、何らかの要因で生体リズムのバランスが崩れることによって疼痛が引き起こされることに着目し、左右の両足首の関節近傍の経穴によって、患者の疼痛の要因の属する異常箇所判定領域を特定し、患者の左右の両耳の鼓膜温度差を計測し、計測した左右の両耳の鼓膜温度差によって、異常箇所判定領域における施術部位を特定することに有効利用できる。
【００２０】
また、補足施術判定領域を知ることで、患者の疼痛の症状に適した施術量を知ることにもなる。
【００２１】
さらに、本発明の経絡理論に則して作成された施術部材は、通電性を有する素材のベルト、又は、テープを使用することで、経穴を有効に刺激できる効果がある。加えて、テープの形状を工夫することで、より効果的な経穴への刺激が可能になる。
【発明を実施するための最良の形態】
【００２２】
本発明を実施するための最良の形態につき、図１〜図１０を参照して説明する。
本発明によれば、患者のいう異常、例えば、筋肉や関節などの疼痛が、どのような要因によってもたらされているのかを探し出すと共に、疼痛の要因の属する異常箇所判定領域、及び、異常箇所判定領域に対する施術領域を探し出し、施術部材によって、施術領域における施術すべき主施術経穴（反応点）と、該経穴への施術量とによって生体リズムのバランスを調整する補助施術経穴（反応点）とを施術し、崩れた患者の生体リズムを改善して、患者の疼痛を根本から除去するものである。
【００２３】
まず、本発明の経絡理論に則して作成された施術部材としてのベルト１、及び、テープ３５の構成について説明する。
【００２４】
ベルト１は、図３及び図４に示すように、電磁シートが切断加工された帯状体２と、該帯状体２の一端部に取り付けられた金属製のバックル３とから構成されている。なお、帯状体２は、幅寸法が７ｍｍ、厚さ寸法が２ｍｍ程度になっている。
【００２５】
該バックル３は、平面視略矩形状の基板５と、該基板５の一側の左右の両端部に形成された二つの軸受け部１０，１０と、一方の軸受け部１０に回動可能に支持された断面略く字形状の圧着レバー１５と、一端部が後述する基板５の切起部７に支持された挿通レバー２０と、別方の軸受け部１０に回動可能に支持された断面Ｌ字形状の操作レバー２５と、基板５の別側左右の両端部に形成された支持ピン３０，３０と、該両支持ピン３０，３０に架設された筒状の緩衝部材３１とから構成されている。
【００２６】
基板５は、一側に穿設されたコ字形状の透穴６と、該透穴６の周縁部に形成された矩形状の切起部７と、透穴６を囲繞すべく基板５の裏面に形成されたコ字形状の座部８とを備えている。
【００２７】
圧着レバー１５は、一端部に形成された鋸歯状の圧着部１６と、別端部に形成された押圧部１７と、圧着部１６と基板５との間に形成された空隙部１８とを有している。そして、帯状体２の一端部が、圧着レバー１５の空隙部１８に挿通され、圧着レバー１５の押圧部１７を押し下げることによって、圧着部１６が帯状体２に圧接してベルト１がバックル３に装着される。
【００２８】
該挿通レバー２０は、その略中央部に形成された湾曲部２１と、一端部の略中央部に突出して形成された矩形状の支持片２２と、別端部に穿設された略楕円形状の挿通穴２３とを具備している。
【００２９】
そして、挿通レバー２０の支持片２２が基板５の透穴６に挿通されて切起部７に固着され、挿通レバー２０が若干反り返って支持されている。さらに、ベルト１の帯状体２の別端部が挿通レバー２０の挿通穴２３に挿通される。
【００３０】
操作レバー２５は、挿通レバー２０の湾曲部２１に接離する押圧部２６と、圧着レバー１５を覆う長さを有する操作部２７とを備えている。そして、操作レバー２５の押圧部２６が挿通レバー２０の湾曲部２１に接する際には、挿通レバー２０が緩衝部材３１に圧接して、挿通レバー２０の挿通穴２３に挿通されたベルト１の位置が固定される一方、操作レバー２５の押圧部２６が挿通レバー２０の湾曲部２１から離間する際には、挿通レバー２０が緩衝部材３１から離間して、挿通レバー２０の挿通穴２３に挿通されたベルト１の位置固定が解除され、ベルト１の別端部が自由になる。
【００３１】
なお、ベルト１の構成は図示に限定されるものではなく、時計などに使用されているようなベルト１であってもよい。要するに、ベルト１の構成としては、患者の手首や足首の大きさに合わせて帯状体２の長さを適宜調整できる構成であればよい。
【００３２】
テープ３５は、図５に示すように、電磁シートが切断加工された蛇行状の紐状体３６と、該紐状体３６の裏面に形成された接着層３８と、該接着層３８に貼着された剥離紙３９とから構成されている。なお、紐状体３６は、幅寸法が３ｍｍ、厚さ寸法が２ｍｍ程度で、テープ３５の全体としての幅寸法が２ｃｍ、長さが４ｃｍになっている。さらに、紐状体３６は、Ｕ字形状の屈曲部３７，…が７個連設されている。また、テープ３５の接着面積が小さいため、患者の皮膚から剥がれる場合には、テープ３５の上側からテープ３５を覆うように円形の補助の貼着シートを使用してもよい（図示せず）。
【００３３】
なお、テープ３５の形状、及び、貼着シートの形状については、それぞれ意味があるため、形状は限定される。但し、テープ３５の形状として必須要件となるのは屈曲部３７，…の数と容積であり、図示の形状を若干引き伸ばした形状であってもよく、幅広又は幅狭のテープ３５であってもよい。テープ３５が蛇行状である理由としては、貼るという刺激と、テープ３５の形状（屈曲部３７の数）とによる相乗効果によって経穴に刺激を与えるためである。貼着シートが円形状である理由としては、貼着シートによる刺激を無にして、テープ３５の刺激力に影響を及ぼさないようにするためである。
【００３４】
つぎに施術方法につき、図１及び図２を参照して説明する。施術の前に、患者の疼痛の要因の属する施術領域をオーリングテストによって特定するが、通院してくる患者においては、環境や感情の変化によって影響をうけやすい顔面神経や三叉神経が乱れていることが一般的である。例えば、電車や徒歩で患者が通院する過程において生じたストレスで、患者の顔面神経や三叉神経に乱れが生じる。これら神経が乱れていると、その乱れが経穴にも出てくることになり、経穴においてオーリングテストを行っても異常箇所を正確に特定できなくなる。
【００３５】
よって、施術の前に顔面神経及び三叉神経の乱れを除去する（Ｓ１）。そして、これら神経の乱れ乱れが除去されているか否かを確認する（Ｓ２）。
【００３６】
患者の顔面神経や三叉神経の乱れを除去した後、足首関節の複数の経穴においてオーリングテストを行い、図６に示す人体図で異常箇所判定領域イ〜ニを特定する（Ｓ３）。腹部のへそを中心として直交する二本の座標軸によって区分される人体の四つの領域が以下のように区分される。
【００３７】
即ち、
１．右足首関節の内果の上に反応が出た場合  →  右上半身異常箇所判定領域イ
左足首関節の内果の上に反応が出た場合  →  左上半身異常箇所判定領域ロ
２．右足首関節の内果の下に反応が出た場合  →  右下半身異常箇所判定領域ハ
左足首関節の内果の下に反応が出た場合  →  左下半身異常箇所判定領域ニ
３．右足首関節の内果の上と、外果の上とに反応が出た場合  →  右上半身異常箇所判定領域イ（自律神経異常）
左足首関節の内果の上と、外果の上とに反応が出た場合  →  左上半身異常箇所判定領域ロ（自律神経異常）
４．右足首関節の内果の下と、外果の下とに反応が出た場合  →  右下半身異常箇所判定領域ハ（ホルモン異常）
左足首関節の内果の下と、外果の下とに反応が出た場合  →  左下半身異常箇所判定領域ニ（ホルモン異常）
５．右足首関節の内果の上と、外果の上と、足首関節の前面とに反応が出た場合  →  右上半身異常箇所判定領域イ
左足首関節の内果の上と、外果の上と、足首関節の前面とに反応が出た場合  →  左上半身異常箇所判定領域ロ
６．右足首関節の内果の下と、外果の下と、足首関節の前面とに反応が出た場合  →  右下半身異常箇所判定領域ハ
左足首関節の内果の下と、外果の下と、足首関節の前面とに反応が出た場合  →  左下半身異常箇所判定領域ニ
として、疼痛の要因の属する異常箇所判定領域イ〜ニと要因の種類とを特定する。
【００３８】
つぎに、患者をベッドに仰臥させた状態で、左右の両耳の鼓膜温度を測定し（Ｓ４）、左右の両耳の鼓膜温度差によって施術する型を特定する（Ｓ５）。即ち、鼓膜温度計によって左右の両耳の鼓膜温度を測定して筋肉型又は関節型を判定する。ここでいう筋肉型、及び、関節型とは、患者の施術部位が筋肉又は関節のいずれであるかを意味している。左耳の鼓膜温度が右耳の鼓膜温度よりも高い場合には、筋肉型として判定する。右耳の鼓膜温度が左耳の鼓膜温度よりも高い場合には、関節型として判定する。左右の両耳の鼓膜温度が同じ場合には、左右の両腕の関節、及び、該関節の近傍の筋肉と、左右の両脚の関節、及び、該関節の近傍の筋肉とにおいてそれぞれオーリングテストを行い、筋肉に反応がでた場合には筋肉型と判定して、関節に反応がでた場合には、関節型と判定する。
【００３９】
鼓膜温度を測定する理由としては、鼓膜温度が、ホルモン分泌量や自立系機能などの生体リズムに重要な指標となっているためである。
【００４０】
ベルト１で施術する場合には、主施術経穴を、特定された異常箇所判定領域の手首か足首とし、補助施術経穴を、特定された異常箇所判定領域側の足首か手首とする。そして、患者を仰臥位の状態にして、一本目のベルト１を主施術経穴である手首又は足首に捲回した後、二本目のベルト１を補助施術経穴である手首又は手首に捲回する。この際、左右の両耳の鼓膜温度差によって特定された患者の施術の型によって、ベルト１の捲回する方向を特定する。手首、足首にベルト１を捲回する理由としては、手首や足首に全ての経穴が集結しているためである。
【００４１】
また、テープ３５で施術する場合には、図７の人体図に示すように、測定した鼓膜温度差に合わせて人体を１６個の施術領域に区分する。まず、仰向けの状態で、且つ、手の平を正面に向けた状態で、左右の両腕をそれぞれ四つの領域に区分する。即ち、肩及び人差し指を結ぶ内外区分線によって内側と外側に区分すると共に、肘関節の部位で内外区分線と直交する上下区分線によって上部（上腕）と下部（前腕）に区分する。さらに、左右の両脚のそれぞれを、前記と同様に、四つの領域に区分する。脚の付け根及び中指を結ぶ内外区分線によって内側と外側に区分すると共に、膝関節の部位で内外区分線と直交する上下区分線によって上部（大腿）と下部（下腿）に区分する。
【００４２】
そして、各内外区分線及び各上下区分線によって区分された領域を施術領域とする。右腕においては、右腕内側下部施術領域Ａ、右腕内側上部施術領域Ｂ、右腕外側下部施術領域Ｃ、右腕外側上部施術領域Ｄの四つに区分する。左腕においては、左腕内側下部施術領域Ｅ、左腕内側上部施術領域Ｆ、左腕外側下部施術領域Ｇ、左腕外側上部施術領域Ｈの四つに区分する。右脚においては、右脚内側下部施術領域Ｉ、右脚内側上部施術領域Ｊ、右脚外側下部施術領域Ｋ、右脚外側上部施術領域Ｌの四つに区分する。左脚においては、左脚内側下部施術領域Ｍ、左脚内側上部施術領域Ｎ、左脚外側下部施術領域Ｐ、左脚外側上部施術領域Ｑの四つに区分する。
【００４３】
さらに、区分された各施術領域Ａ〜Ｑを患者の鼓膜温度差に合わせて特定する。右腕内側下部施術領域Ａ、左腕内側下部施術領域Ｅ、右脚内側下部施術領域Ｉ、左脚内側下部施術領域Ｍを、鼓膜温度差が０．０と０．２の患者の施術領域とし、右腕内側上部施術領域Ｂ、左腕内側上部施術領域Ｆ、右脚内側上部施術領域Ｊ、左脚内側上部施術領域Ｎを、鼓膜温度差が０．４の患者の施術領域とし、右腕外側下部施術領域Ｃ、左腕外側下部施術領域Ｇ、右脚外側下部施術領域Ｋ、左脚外側下部施術領域Ｐを、鼓膜温度差が０．３の患者の施術領域とし、右腕外側上部施術領域Ｄ、左腕外側上部施術領域Ｈ、右脚外側上部施術領域Ｌ、左脚外側上部施術領域Ｑを、鼓膜温度差が０．１と０．５以上の患者の施術領域とする。
【００４４】
なお、患者の鼓膜温度差が０．８、１．２、１．６など４の倍数、及び、０．６、１．０などの偶数の場合については、鼓膜温度差が０．４の施術領域（右腕内側上部施術領域Ｂ、左腕内側上部施術領域Ｆ、右脚内側上部施術領域Ｊ、左脚内側上部施術領域Ｎ）において施術する。また、患者の鼓膜温度差が０．７、１．１などの奇数の場合については、鼓膜温度差が０．５以上の施術領域（右腕外側上部施術領域Ｄ、左腕外側上部施術領域Ｈ、右脚外側上部施術領域Ｌ、左脚外側上部施術領域Ｑ）において施術する。
【００４５】
また、人体の姿勢が、主として、臥位の姿勢、又は、立位の姿勢のいずれかであることから、患者を、仰臥位での施術（Ｓ６）、俯臥位での施術（Ｓ７）に続いて、立位での施術（Ｓ８）を行う。俯臥位の状態では、脊柱を構成する頚椎、胸椎、腰椎の椎間、又は、椎間の近傍の筋肉に施術する。
【００４６】
上述した施術によって、患者の臥位の姿勢の生体リズムのバランスを調整すると共に、立位の姿勢の生体リズムのバランスを調整することで、患者の人体の表裏の生体リズムのバランスがよくなり、疼痛が除去されると考えられる。
【００４７】
上述した施術によっても患者の疼痛が除去できない場合には、図７の人体図に示すように、仰臥位の状態の患者の腹部において、へそを中心として直交する二本の座標軸によって区分される四つの領域でオーリングテストを行って補足施術判定領域を特定する（Ｓ９）。ここで、患者の腹部において区分された領域について、右上の領域を補足施術判定領域Ｗ、右下の領域を補足施術判定領域Ｘ、左上の領域を補足施術判定領域Ｙ、左下の領域を補足施術判定領域Ｚとする。
【００４８】
これら補足施術判定領域Ｗ〜Ｚは、東洋医学においての、肺、腎臓、心臓、脾臓・肝臓の経穴に相当し、補足施術判定領域Ｗが肺の経穴、補足施術判定領域Ｘが腎臓の経穴、補足施術判定領域Ｙが心臓の経穴、補足施術判定領域Ｚが脾臓・肝臓の経穴に相当する。そして、肺、腎臓、心臓、脾臓・肝臓を活性化させて、前記施術領域Ａ〜Ｑでの施術で除去できなかった疼痛を除去しようとするものである。
【００４９】
補足施術判定領域Ｗ〜Ｚでの施術が意味することは、施術領域Ａ〜Ｑでした施術の量が過剰であると仮定した場合、補足施術判定領域Ｗ〜Ｚでの施術によって施術の量が削減される一方、施術領域Ａ〜Ｑでした施術量が不足であると仮定した場合、補足施術判定領域Ｗ〜Ｚでの施術量が補充されることを意味する。よって、疼痛の要因箇所の生体リズムが改善されて、バランスがよくなり、肺、腎臓、心臓、脾臓・肝臓の機能も活発になり、疼痛が除去されると考えられる。
【００５０】
さらに、上述した施術によっても患者の疼痛が除去できない場合には、患者の指定する局部に施術を行う（Ｓ１０）。
【００５１】
このように、東洋医学の経絡理論に則して作成された人体図（図６及び図７）によって、疼痛の要因が属する異常箇所、該異常箇所に対する施術領域を知ることができる。さらに、スパイラルテーピングなどで知られるテーピング治療に工夫を加えた施術部材（ベルト１及びテープ３５）で施術することで、人体の表裏から全身の生体リズムのバランスを調整し、患者の疼痛を根本から除去できる。
【００５２】
加えて、テープ３５は、施術すべき経穴と、該経穴への施術とによって生体リズムのバランスを調整できる経穴とに貼着することが必須事項となるのである。
【実施例】
【００５３】
つぎに実施例につき、ベルト１及びテープ３５で施術する場合と、テープ３５のみで施術する場合とに分けて説明する。ベルト１及びテープ３５で施術する場合で、例えば、患者の右脚の足首関節の内果の上に反応が出て、右上半身の筋肉異常で、右耳の鼓膜温度が左耳の鼓膜温度に対して０．２高い場合（関節型）には、図８及び図９に示すように、患者を仰臥位の状態にさせて、一本目のベルト１を患者の右手首に捲回した後、二本目のベルト１を患者の右足首に捲回する。その後、患者を仰臥位の状態から立位の状態にして、三本目のベルト１を患者の右手首に捲回する。この場合、患者の右手首に捲回した一本目のベルト１と、三本目のベルト１との上下関係は無視してもよい。加えて、ベルト１の余った別端部は、バックル３に若干係る程度の長さの位置、即ち、余った別端部が、バックル３に圧着された一端部に対して交差する長さの位置で切断する。
【００５４】
そして、患者を立位の状態にして軽い屈伸運動をさせて、疼痛が除去できているか否かを患者自身に確認させる。疼痛が除去できていなければ、患者を仰臥位の状態にさせて、腹部の補足施術判定領域Ｗ〜Ｚでオーリングテストを行い、反応がでた施術領域Ａ〜Ｑにおいて、筋肉型として筋肉にテープ３５を貼着する。
【００５５】
その後、再度、患者を立位の状態にして軽い屈伸運動をさせて、疼痛が除去できているか否かを患者自身に確認させる。疼痛が除去できていなければ、局所にテープ３５を貼着する。
【００５６】
また、テープ３５のみで施術する場合で、例えば、患者の右脚の足首関節の内果の上に反応が出て、右上半身の筋肉異常で、左耳の鼓膜温度が右耳の鼓膜温度に対して０．２度高い場合（筋肉型）には、図６に示すように、患者を仰臥位の状態にさせて、テープ３５を右腕の筋肉に貼着する。その後、右脚の筋肉にテープ３５を貼着する。
【００５７】
つぎに、患者を仰臥位の状態から俯臥位の状態にして、テープ３５を、脊柱を構成する頚椎、胸椎、腰椎に貼着する。
【００５８】
その後は、疼痛が除去できない場合には、前記と同様に、補足施術判定領域Ｗ〜Ｚにおけるオーリングテストの結果に合わせて、テープ３５を貼着する。
【００５９】
さらに、左右の両耳の鼓膜温度差がない場合には、患者の肘関節、及び、肘関節近傍の筋肉にオーリングテストを行い、施術する型を特定する。筋肉型、又は、関節型に合わせて前記と同様に施術する。
【産業上の利用可能性】
【００６０】
本発明の経絡理論に則して作成された人体図及び施術部材は、ホルモンによる生理痛、アレルギーによるアトピー性皮膚炎、内臓機能低下による疼痛にも適用できる可能性がある。
【図面の簡単な説明】
【００６１】
【図１】施術前のフロー図である。
【図２】施術の際のフロー図である。
【図３】（Ａ）は、本発明のベルトのバックル部位の平面図、（Ｂ）は、ベルトのバックル部位の側断面図、（Ｃ）は、ベルトのバックルの部位の底面図である。
【図４】（Ａ）は、本発明のベルトの使用状態の示した側断面図、（Ｂ）は、ベルトの使用状態の平面図である。
【図５】（Ａ）は、本発明のテープの平面図、（Ｂ）は、テープの側断面図である。
【図６】左右の両足首の経穴の補瀉によって特定される異常箇所判定領域が表示された人体図である。
【図７】左右の両耳の鼓膜温度差によって特定された施術領域、及び、補足施術判定領域が表示された人体図である。
【図８】（Ａ）及び（Ｂ）は、ベルトを左右の両腕の手首に実装した状態の斜視図である。
【図９】（Ａ）及び（Ｂ）は、ベルトを左右の両脚の足首に実装した状態の斜視図である。
【図１０】（Ａ）及び（Ｂ）は、テープを局所に貼着した状態の斜視図である。
【符号の説明】
【００６２】
１  ベルト
２  帯状体
３  バックル
５  基板
６  透穴
７  切起部
８  座部
１０  軸受け部
１５  圧着レバー
１６  圧着部
１７、２６  押圧部
１８  空隙部
２０  挿通レバー
２１  湾曲部
２２  支持片
２３  挿通穴
２５  操作レバー
２７  操作部
３０  支持ピン
３１  緩衝部材
３５  テープ
３６  紐状体
３７  屈曲部
３８  接着部
３９  剥離紙
イ〜ニ  異常箇所判定領域
Ａ〜Ｑ  施術領域
Ｗ〜Ｚ  補足施術判定領域
【図１】
2005168944.tif 000003
【図２】
2005168944.tif 000004
【図３】
2005168944.tif 000005
【図４】
2005168944.tif 000006
【図５】
2005168944.tif 000007
【図６】
2005168944.tif 000008
【図７】
2005168944.tif 000009
【図８】
2005168944.tif 000010
【図９】
2005168944.tif 000011
【図１０】
2005168944.tif 000012